(57)【要約】【課題】カバーが基本位置にある場合のみ蓋部材を開放可能とする。【解決手段】コンソールボックスは、内部に物品の収納部１４を画成したボックス本体１２と、収納部１４を開閉可能な蓋部材２０から構成される。蓋部材２０は、ボックス本体１２の係止部１６に係脱して、該蓋部材２０の開放を許容または規制するロック部材４２を備えている。また蓋部材２０は、カバー３０の位置に応じて変位して、ロック部材４２の操作を規制または許容する規制部材５２を有し、カバー３０が基本位置にある場合のみ蓋部材２０を開放可能にしている。【選択図】図３
2010070132.tif 000002
【特許請求の範囲】
【請求項１】
内部に物品の収納部を画成したボックス本体と、前記収納部を開閉可能な蓋部材とを備えたコンソールボックスにおいて、
前記蓋部材は、
前記ボックス本体の一側に回転可能に設けられたベースと、
前記ベースに対してスライド変位可能に設けられたカバーと、
前記ベースに設けられ、前記ボックス本体に設けられた係止部に係合する係合位置と該係止部から外れた退避位置との間で変位可能なロック部材と、
前記ベースに設けられ、前記ロック部材が係合位置から退避位置へ変位する側に臨んで該ロック部材の変位を規制する規制位置と、該規制位置から外れた許容位置との間で変位可能な規制部材と、
前記ベースと前記規制部材との間に設けられ、該規制部材を規制位置に向けて付勢する付勢部材と、
前記カバーに設けられ、該カバーにおける前記ベースに対する基本位置で前記ロック部材を許容位置で保持する当接部とを備えた
ことを特徴とするコンソールボックス。
【請求項２】
前記蓋部材は、前記カバーが前記ベースの上側に整合する位置を前記基本位置として、該基本位置のカバーが、該ベースにおける前記ボックス本体への支持側から離間する方向にスライド変位するよう構成される請求項１記載のコンソールボックス。
【発明の詳細な説明】
【技術分野】
【０００１】
この発明は、上方に開口する物品収納部を有するボックス本体と、物品収納部を開閉可能な蓋部材とを備え、蓋部材のカバーがスライド変位するコンソールボックスに関するものである。
【背景技術】
【０００２】
自動車には、乗員室における前部座席間(運転席と助手席との間)のフロアに、身の回りの物品を出入れ可能に収納し得るコンソールボックスを設置したものがある。コンソールボックスは、内部に物品の収納部を画成したボックス本体と、このボックス本体に対して支持機構で支持され、ボックス本体の上面に開口した収納部の開口部を開閉可能な蓋部材とを備えている。蓋部材は、ボックス本体に設けられた係止部に係脱可能なロック部材を備え、このロック部材を開放操作してロック部材と係止部との係合状態を解除することで、蓋部材を上方に回転し得るようになっている。
【０００３】
前記コンソールボックスは、フロントシートの側方に位置しているので、蓋部材ををクッション性を有するように構成して、該蓋部材の上面部分をアームレストとして使用する形態がある。ここで車両では、フロントシートが車両の前後方向へスライド調整し得るように設置されているため、フロントシートの移動方向に沿って蓋部材をスライド移動可能とするのが望ましい。そこで、蓋部材を、ボックス本体に支持されたベースと、このベースの上側にスライド可能に設けられて、該蓋部材の上面をなすカバーとから構成し、カバーの位置を使用者の好みに合わせて調節できるようにしたコンソールボックスが提案されている(例えば、特許文献１参照)。
【特許文献１】特開２００８−３７２０３号公報
【発明の開示】
【発明が解決しようとする課題】
【０００４】
前記特許文献１に開示のコンソールボックスは、カバーをスライド変位させた何れの位置にあっても、ロック部材を開放操作することで、蓋部材を開放することができる。すなわち、蓋部材の開閉に際してカバーがベースに対してどの位置にあっても、カバーがボックス本体と干渉しないように、ボックス本体、蓋部材および該蓋部材のボックス本体への支持機構等を構成する必要がある。このため、コンソールボックスは、ボックス本体や蓋部材のデザインの制約を受けたり、蓋部材を特殊な軌跡を描くよう変位させるために支持機構が複雑になったりする不都合を来す。
【０００５】
また、蓋部材は、後端が支持機構で支持されたベースに対して前後方向にスライド変位し、カバーがベースの上方に整合する基本位置で蓋部材の全長が最小になり、カバーを前方にスライド変位するにつれて蓋部材の全長が長くなる。すなわち、カバーを基本位置以外にスライド変位させた状態では、蓋部材の全長が長くなって該蓋部材の回転半径が大きくなるので開閉操作が行ない難い。また、蓋部材の重心は、支持機構による支持側から離間する方向にずれるため、支持機構や蓋部材を開閉操作する使用者に負荷がかかる問題が指摘される。また、蓋部材をカバーの基本位置以外で開閉すると、カバーのスライド変位を規制する手段を有していても、カバーが自重等により意図せず基本位置に向けてスライド変位するおそれがある。
【０００６】
すなわち本発明は、従来の技術に係るコンソールボックスに内在する前記問題に鑑み、これらを好適に解決するべく提案されたものであって、蓋部材のカバーが基本位置ある場合のみに、蓋部材の開放が許容されるコンソールボックスを提供することを目的とする。
【課題を解決するための手段】
【０００７】
前記課題を克服し、所期の目的を達成するため、本願の請求項１に係る発明のコンソールボックスは、
内部に物品の収納部を画成したボックス本体と、前記収納部を開閉可能な蓋部材とを備えたコンソールボックスにおいて、
前記蓋部材は、
前記ボックス本体の一側に回転可能に設けられたベースと、
前記ベースに対してスライド変位可能に設けられたカバーと、
前記ベースに設けられ、前記ボックス本体に設けられた係止部に係合する係合位置と該係止部から外れた退避位置との間で変位可能なロック部材と、
前記ベースに設けられ、前記ロック部材が係合位置から退避位置へ変位する側に臨んで該ロック部材の変位を規制する規制位置と、該規制位置から外れた許容位置との間で変位可能な規制部材と、
前記ベースと前記規制部材との間に設けられ、該規制部材を規制位置に向けて付勢する付勢部材と、
前記カバーに設けられ、該カバーにおける前記ベースに対する基本位置で前記ロック部材を許容位置で保持する当接部とを備えたことを特徴とする。
請求項１に係る発明によれば、カバーが基本位置にある蓋部材の開閉だけを考慮して、ボックス本体、蓋部材や該蓋部材の支持機構を構成すればよく、ボックス本体や蓋部材のデザインの制約が少なく、支持機構として単純な機構を用いることができる。
【０００８】
請求項２に係る発明では、前記蓋部材は、前記カバーが前記ベースの上側に整合する位置を前記基本位置として、該基本位置のカバーが、該ベースにおける前記ボックス本体への支持側から離間する方向にスライド変位するよう構成されることを要旨とする。
請求項２に係る発明によれば、蓋部材の全長が最小となるカバーの基本位置でのみで蓋部材を開閉可能な構成であるから、カバーが基本位置以外にある場合と比べて回転半径が小さく、また蓋部材の重心が支持側に最も近くなる。すなわち、蓋部材は、開閉操作を行い易く、開閉操作に際して使用者や蓋部材の支持機構にかかる負担を軽減し得る。しかも、蓋部材は、開閉に際して、該蓋部材の支持側にカバーが自重によりスライド変位することはなく、カバーの意図しないスライド変位を回避できる。
【発明の効果】
【０００９】
本発明に係るコンソールボックスによれば、蓋部材のカバーが基本位置ある場合のみに、蓋部材の開放が許容される。
【発明を実施するための最良の形態】
【００１０】
次に、本発明に係るコンソールボックスにつき、好適な実施例を挙げて、添付図面を参照して以下に説明する。また、実施例のコンソールボックスにおいて前後とは、車両に設置した際の車両の前後方向を基準として指称し、左右とは、車両の前進方向を基準とする左右方向を指称する。なお、図１では、図中左下側が車両の前側で、図中右上側が車両の後側である。
【実施例】
【００１１】
図１,図４または図６に示すように、実施例に係るコンソールボックス１０は、眼鏡等の身の回りの物品を収納し得る収納部１４を内部画成したボックス本体１２と、このボックス本体１２の上部に配設した蓋部材２０とを備えている。コンソールボックス１０は、蓋部材２０の後部をボックス本体１２の後側に設けた図示しない支持機構で支持して、蓋部材２０がその後側縁を回転支点としてボックス本体１２に対して回転可能になっている。そして、コンソールボックス１０は、蓋部材２０を回転変位することで、ボックス本体１２の上部に開口する収納部１４の開口部１４ａを開閉し得るようになっている。なお、実施例のコンソールボックス１０は、車両における乗員室の運転席と助手席との間のフロアに設置される。
【００１２】
前記蓋部材２０は、ボックス本体１２の後側(一側)に回転可能に支持されたベース２２と、このベース２２に対して前後方向にスライド変位可能に設けられ、該蓋部材２０の外郭をなすカバー３０とを備えている(図１参照)。図２に示すように、ベース２２は、下側に位置して上方に開放するトレー形状の下板部２４と、上側に位置して下方に開放するトレー形状の上板部２６とを、互いの周壁２４ａ,２６ａの開放端を突き合わせた状態で組み付けて構成されている。すなわち、ベース２２には、下板部２４と上板部２６との間に後述する規制機構等を収容し得るスペースが設けられている(図４参照)。上板部２６は、左右方向の中間部分に上方に膨出するように形成されて前後方向に延在する突状部２７を有し、この突状部２７の上面に下レール２８が前後方向に延在するよう配設されている。
【００１３】
前記カバー３０は、下側に位置する下パネル３２と、上側に位置して該カバー３０の意匠面をなす上パネル３４とを上下の関係で組み付けて構成される(図２参照)。下パネル３２は、左右方向の中間部分に上方に膨出するように形成されて前後方向に延在する収容凹部３３を有し、この収容凹部３３の天井面に上レール３８が前後方向に延在するよう配設されている。また上パネル３４には、高級感やクッション性等の所要の機能を発現する人工皮革や樹脂成形品等からなる表皮材３５が、乗員室側の面に貼付されている(図４参照)。なお、カバー３０は、ベース２２より一回り大きい寸法で形成されている。
【００１４】
前記カバー３０は、収容凹部３３にベース２２の突状部２７を収容すると共に、下レール２８と上レール３８を係合して、ベース２２の上側を覆うように組み付けられる。そして、カバー３０は、下レール２８と上レール３８との係合下に、ベース２２の上側に整合する基本位置(図１(ａ),図４または図５参照)とこの基本位置より前方へ移動してベース２２から前方に延出した延出位置(図１(ｂ),図６または図７参照)との間で、前後方向にスライド変位するよう構成される。ここで、蓋部材２０は、基本位置のカバー３０が、ベース２２におけるボックス本体１２への支持側となる後端縁から離間する方向にスライド変位して延出位置となり、カバー３０の基本位置において蓋部材２０の全長(前後方向の長さ)が最小となる。これに対して、蓋部材２０は、カバー３０の延出位置において全長が最大となる。なお、蓋部材２０では、カバー３０における収容凹部３３の前部が、ベース２２における突状部２７の前部に当接することで、基本位置でカバー３０の後側へのスライド変位が規制される。また蓋部材２０は、収容凹部３３の後部が突状部２７の後部に当接することで、延出位置でカバー３０の前側へのスライド変位が規制される。
【００１５】
前記コンソールボックス１０は、蓋部材２０の開閉を規制または許容するロック機構４０を備えている。ロック機構４０は、ベース２２の前部(ベース２２におけるボックス本体１２への支持側と反対側)に設けられたロック部材４２と、ボックス本体１２の前側上部に設けられた係止部１６とを備えている。実施例の係止部１６は、ボックス本体１２の前壁上部に開口形成された孔部分である(図４または図６参照)。図３に示すように、ロック部材４２は、水平方向に延在する把持部４４を本体として、この把持部４４の後部に設けられた軸部４５と、把持部４４の下面から延出形成された係合片４６とから構成される。係合片４６の下端部には、後側へ向けて突出形成されたフック４６ａが設けられている(図４参照)。また、ロック部材４２は、ベース２２の下板部２４の前部中央に凹設されたロック凹部２４ｂに配設された支持板４８に軸支される。具体的には、支持板４８は、ロック部材４２の軸部４５に対応する軸受部４８ａを有し、軸部４５および軸受部４８ａに左右方向に延在するよう挿通したシャフト４９を回転中心として、ロック部材４２は、所定範囲で回転変位可能に軸支される。
【００１６】
前記ロック部材４２は、蓋部材２０の閉成姿勢において、係合片４６のフック４６ａを係止部１６に前側から挿入する係合位置と(図４の実線参照)、フック４６ａを係止部１６から外方に抜出した退避位置(図４の２点鎖線参照)との間で変位するよう構成される。また、ロック機構４０は、ロック部材４２と支持板４８との間に設けられた付勢手段としてのトーションばね４７を有し(図３参照)、このトーションばね４７によってロック部材４２が係合位置に向けて付勢される。そして、ロック機構４０は、ロック部材４２の係合位置でフック４６ａが係止部１６の上部開口縁に引っ掛かって蓋部材２０の開放変位を規制する。一方、ロック機構４０は、ロック部材４２の把持部４４を上方へ持ち上げてロック部材４２を係合位置から退避位置に変位させることで、蓋部材２０の開放変位を許容する。
【００１７】
前記コンソールボックス１０は、カバー３０の基本位置でロック機構４０のロック解除を許容する一方、カバー３０が基本位置以外にあるときに、ロック機構４０のロック解除を規制する規制機構５０を備えている。規制機構５０は、ロック部材４２のロック解除操作を規制する規制部材５２と、この規制部材５２を所定方向に付勢する付勢部材６０と、ロック部材４２のロック解除操作可能な位置に規制部材５２を変位させる当接部３６とから構成される(図５または図７参照)。
【００１８】
前記規制部材５２は、上下に貫通する孔部５４ａを中央部分に有する本体部５４と、右端部(一方の側端部)に下方に突出するよう形成された規制片５６と、同じく右端部に上方に突出するように形成された当接片５８とを備えている(図３参照)。また規制部材５２は、上板部２６の突状部２７の天井面に下方へ突設されたボス２７ａに対して孔部５４ａを嵌合して、本体部５４の下方からボス２７ａに螺合したネジＮで保持される。規制部材５２は、長手辺が左右方向に延在するよう配設されると共に、ボス２７ａを回転支点として上板部２６の下面に沿って所定範囲で回転変位可能に組み付けられる。そして、規制部材５２は、右端部がベース２２の前方に突出してロック部材４２における把持部４４の上側に臨む規制位置と(図４または図５参照)、右端部が規制位置から後側に変位して把持部４４の上側から外れた許容位置(図６または図７参照)との間で回転変位するようになっている。規制部材５２の規制位置において、当接片５８は、ボス２７aに対して、カバー３０を基本位置から延出位置へスライド変位する方向の前側かつ右側に位置するよう配置される。
【００１９】
前記ボス２７ａは、上板部２６の突状部２７の前部において、右側に偏倚した部位に設けられ、規制部材５２は、ベース２２において右側に偏倚させて配置される。規制部材５２は、許容位置において、右端部が突状部２７で画成される空間の右側方に突出するように配置され、上板部２６には、規制部材５２の右端部の上面に突設された当接片５８に対応して切欠２６ｂが設けられている。ここで、蓋部材２０において、規制部材５２の当接片５８は、ベース２２における突状部２７の右外側面とカバー３０における収容凹部３３の右内側面との間に位置するよう配置される(図５参照)。また、上板部２６の周壁２６ａには、規制部材５２の回転変位下にベース２２の前方に変位する当接片５８および本体部５４に対応して別の切欠２６ｃが設けられ、下板部２４の周壁２４ａには、規制片５６に対応して切欠２４ｃが設けられている。そして、規制部材５２は、許容位置において規制片５６および本体部５４の前面が周壁２４ａ,２６ａの切欠２４ｂ,２６ｃに整合して、周壁２４ａ,２６ａの一部を構成するようになっている。
【００２０】
前記規制部材５２は、規制位置において右端部に設けられた規制片５６が、ロック部材４２の把持部４４の上側(把持部４４が係合位置から退避位置に変位する方向)に位置し、この際、規制片５６の下端は、把持部４４の上面から僅かに離間または当接するよう構成される。ここで、規制位置における規制片５６の下端と把持部４４の上面との間隔は、把持部４４が係合位置から退避位置まで変位するまでのストロークより小さくなるように設定される。
【００２１】
前記付勢部材６０は、トーションばねが採用される。付勢部材６０は、コイル部分がボス２７ａに外挿されて、このコイル部分から延出する一対のアーム部分が、規制部材５２における本体部５４の左端部と上板部２６(具体的には突状部２７の前壁)との間に介在するよう配置される(図５または図７参照)。ここで、付勢部材６０は、規制部材５２の左端部を後側に向けて付勢するよう構成され、規制部材５２は、付勢部材６０によって規制位置に向けて付勢されている。
【００２２】
前記当接部３６は、カバー３０における収容凹部３３の前部右側に設けられ、ベース２２における突状部２７の右外側面とカバー３０における収容凹部３３の右内側面との間に位置している規制部材５２の当接片５８の前側に延在する壁部分である。なお、当接部３６は、カバー３０の基本位置においてベース２２の突状部２７前部に当接する収容凹部３３の前部より後側に形成されている。当接部３６は、規制位置にある規制部材５２の当接片５８に対して、カバー３０を基本位置から延出位置へスライド変位する方向の前側に位置するよう配置される。規制機構５０は、カバー３０を延出位置から基本位置に向けてスライド変位する際に、当接部３６と当接片５８との当接下に規制部材５２を規制位置から許容位置へ向けて回転変位し、カバー３０の基本位置で規制部材５２を許容位置で保持するようになっている(図４または図５参照)。これに対して、規制機構５０は、カバー３０を基本位置から延出位置に向けてスライド変位する際に、付勢部材６０の付勢により規制部材５２が許容位置から規制位置に至るまで当接部３６と当接片５８との当接状態が維持される。そして、カバー３０が更に延出位置側にスライド変位すると、当接部３６が当接片５８から離間する(図６または図７参照)。
【００２３】
〔実施例の作用〕
次に、実施例に係るコンソールボックス１０の作用について説明する。なお蓋部材２０は、閉成姿勢にある。コンソールボックス１０は、カバー３０が基本位置にあると、カバー３０の当接部３６が規制部材５２を許容位置で保持して規制片５６が把持部４４の上方から退避しているので、把持部４４の係合位置から退避位置に変位させる上方変位が許容される(図４または図５参照)。すなわち、使用者は、把持部４４を上方に変位することで、ロック機構４０のロックを解除して蓋部材２０を開放することができる。これに対して、カバー３０を基本位置から延出位置に向けてスライド変位した基本位置以外の位置にあると、当接部３６が前側に変位することで付勢部材６０の付勢下に規制部材５２の許容位置から規制位置に向けた変位が許容される。すなわち、把持部４４の上側に臨んだ規制片５６によって把持部４４のロック解除方向の変位が阻まれるので、使用者は蓋部材２０を開放することができない(図６または図７参照)。そして、カバー３０を基本位置に戻すことで、当接部３６によって規制部材５２が許容位置に保持されるので、使用者はロック機構４０のロックを解除して蓋部材２０を開放することができる。このように、コンソールボックス１０は、規制機構５０によってカバー３０が基本位置にある場合のみ、蓋部材２０を開閉し得る。
【００２４】
実施例のコンソールボックス１０によれば、カバー３０が基本位置にある蓋部材２０の開閉だけを考慮して、ボックス本体１２、蓋部材２０や該蓋部材２０の支持機構を構成すればよい。すなわち、コンソールボックス１０は、ボックス本体１２と蓋部材２０との干渉を回避するために必要とされるボックス本体１２や蓋部材２０のデザインの制約が少なく、デザインの自由度を向上し得る。また、支持機構は、ボックス本体１２と蓋部材２０との干渉を回避するために、蓋部材２０を特殊な軌跡で変位させる必要がなく、支持機構として単純な機構を用いることができる。
【００２５】
前記コンソールボックス１０は、ボックス本体１２への支持端から開放端までの全長が最小となるカバー３０の基本位置でのみで蓋部材２０を開閉可能な構成であるから、カバー３０が基本位置以外にある場合と比べて回転半径が小さく、蓋部材２０の重心が支持端側に最も近くなる。すなわち、蓋部材２０は、開閉操作を行い易く、開閉操作に際して使用者や支持機構にかかる負担を軽減し得る。しかも、蓋部材２０は、開閉に際して、該蓋部材２０の支持端側にカバー３０が自重によりスライド変位することはなく、カバー３０の意図しないスライド変位を回避できる。よって、カバー３０のスライド変位を規制する手段を設ける場合は、当該手段を簡略化することが可能となる。
【００２６】
前記規制機構５０は、規制部材５２、当接部３６および付勢部材６０からシンプルな構成であり、規制機構５０を簡単に組み付けることができ、規制機構５０を設けることによるコストの増加を最小限に抑えることができる。また、規制機構５０は、蓋部材２０に設けたロック部材４２を変位してボックス本体１２の係止部１６に係脱させるタイプのロック機構４０であれば適用可能であり、汎用性に優れている。更に、規制機構５０は、カバー３０のスライド変位に応じて、規制部材５２が規制位置と許容位置との間で変位するので、使用者が規制機構５０を特に操作することなく、ロック機構４０の操作が規制または許容される。規制機構５０は、蓋部材２０に組み込まれており、規制部材５２が規制位置でベース２２の前方に突出するが、該規制部材５２の突出部分の上方がカバー３０で覆われると共に、この際に蓋部材２０を開放することができないので、規制部材５２が使用者から見えない。規制部材５２は、蓋部材２の開放を許容する規制部材５２の許容位置で、ベース２２とカバー３０との間に収容されてベース２２の周壁２４ａ,２６ａと整合して同一面を構成するので、見栄えがよい。そして、規制機構５０は、ロック機構４０における把持部４４の操作自体を規制するものであるので、規制部材５２の位置が見えなくても使用者が直感的に規制機構５０が働いていることが判る。
【００２７】
前記規制機構５０は、蓋部材２０においてカバー３０のスライド変位方向と交差する左右方向の一方(実施例では右側)に偏倚して設けてあるので、蓋部材２０の前部中央に設けられるロック部材４２への使用者のアクセスを邪魔することはない。また、規制部材５２をカバー３０のスライド変位方向に揺動させる構成とすることで、規制部材５２を直線的に変位させる場合と比べて、規制部材５２がスライド変位方向に要するスペースを小さくすることができる。
【００２８】
(変更例)
(１)実施例の規制部材は、上下方向に突出する軸に揺動可能に支持されて、カバーがスライド変位する方向に変位する構成であるが、規制部材を左右方向に延在する軸に揺動可能に支持して、上下方向に揺動する構成であってもよい。また、規制部材を直線的に変位させる構成であってもよい。
(２)付勢部材は、トーションばねに限られず、コイルばねや板ばね等のばねやゴム等の弾性体であってもよい。
【図面の簡単な説明】
【００２９】
【図１】本発明の好適な実施例に係るコンソールボックスを示す概略斜視図であって、(ａ)はカバーの基本位置を示し、(ｂ)はカバーの延出位置を示す。
【図２】実施例の蓋部材を分解して示す概略斜視図である。
【図３】実施例の規制機構を分解して示す概略斜視図である。
【図４】実施例のコンソールボックスの要部を示す側断面図であって、カバーの基本位置を示す。
【図５】図４のＡ−Ａ線断面図である。
【図６】実施例のコンソールボックスの要部を示す側断面図であって、カバーの延出位置を示す。
【図７】図６のＢ−Ｂ線断面図である。
【符号の説明】
【００３０】
１２  ボックス本体,１４  収納部，１６  係止部，２０  蓋部材，２２  ベース，
３０  カバー，３６  当接部，４２  ロック部材，５２  規制部材，６０  付勢部材
【図１】
2010070132.tif 000003
【図２】
2010070132.tif 000004
【図３】
2010070132.tif 000005
【図４】
2010070132.tif 000006
【図５】
2010070132.tif 000007
【図６】
2010070132.tif 000008
【図７】
2010070132.tif 000009